(57)【要約】【課題】マーカ機能を備えた電子辞書装置において、マーカを付加した例文を適切且つ容易に表示させ有効に活用すること。【解決手段】見出し語検索した見出し語「custom」について、過去に同見出し語の例文にマーカＭ１を付加した登録情報があれば、そのマーカＭ１付きの例文[the board …]も同見出し語の説明情報（Ｇ１）の該当個所に展開されて表示される。【選択図】      図９
2011258007.tif 000002
【特許請求の範囲】
【請求項１】
見出し語と対応付けて同見出し語の語義および同語義毎の例文を含む説明情報を記憶する辞書記憶手段と、
ユーザ操作に応じて検索文字列を入力する検索文字入力手段と、
この検索文字入力手段により入力された検索文字列に対応する見出し語とその語義を前記辞書記憶手段により記憶された辞書情報の中から読み出して表示する辞書情報表示手段と、
ユーザ操作に応じて前記辞書情報表示手段により表示された見出し語に対応する任意の語義を指定してその例文を表示する例文表示手段と、
ユーザ操作に応じて前記例文表示手段により表示された例文中の任意の文字列を指定してマーカを付加するマーカ付加手段と、
このマーカ付加手段によりマーカが付加された例文について、同例文に対応する見出し語と語義番号と同例文中のマーカ付加位置とを対応付けて登録するマーカ登録手段と、
前記辞書情報表示手段により前記検索文字列に対応する見出し語とその語義を表示する際に、同見出し語と一致する見出し語が前記マーカ登録手段により登録された見出し語の中にあるかを判断する登録見出し語判断手段と、
この登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開して表示させるマーカ付き例文展開表示手段と、
を備えたことを特徴とする電子辞書装置。
【請求項２】
前記マーカ付き例文展開表示手段は、前記登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開し、同例文を展開した語義とその例文を他の語義よりも前に入れ替えて表示させることを特徴とする請求項１に記載の電子辞書装置。
【請求項３】
前記辞書記憶手段は、複数種類の辞書毎に見出し語と対応付けて同見出し語の語義および同語義毎の例文を含む説明情報を記憶し、
前記検索文字入力手段は、ユーザ操作に応じて任意の辞書を選択して検索文字列を入力し、
前記辞書情報表示手段は、前記検索文字入力手段により辞書を選択して入力された検索文字列に対応する辞書の見出し語とその語義を前記辞書記憶手段により記憶された辞書情報の中から読み出して表示し、
前記マーカ登録手段は、前記マーカ付加手段によりマーカが付加された例文について、同例文に対応する辞書名と見出し語と語義番号と同例文中のマーカ付加位置とマーカ付加単語とを対応付けて登録し、
前記登録見出し語判断手段は、前記辞書情報表示手段により前記選択された辞書の見出し語とその語義を表示する際に、同選択された辞書の見出し語と一致する辞書名の見出し語が前記マーカ登録手段により登録された見出し語の中にあるかを判断し、
前記マーカ付き例文展開表示手段は、前記登録見出し語判断手段により前記選択された辞書の見出し語と一致する登録された辞書名の見出し語があると判断された場合は、前記選択された辞書の見出し語とその語義と共に、前記登録された辞書名の見出し語に対応付けられた語義番号とマーカ付加位置に従い該当する語義の位置にマーカを付加した例文を展開して表示させ、
前記辞書情報表示手段により前記選択された辞書の見出し語とその語義を表示する際に、同選択された辞書の辞書名ではない他の辞書名であって同見出し語と一致する見出し語が前記マーカ登録手段により登録された見出し語の中にあるかを判断する他辞書登録見出し語判断手段と、
この他辞書登録見出し語判断手段により前記他の辞書名であって見出し語が一致する登録された見出し語があると判断された場合は、同登録された見出し語に対応付けられたマーカ付加単語と同じ単語が前記選択された辞書の見出し語に対応付けられた例文に含まれるか判断するマーカ付加単語判断手段と、
このマーカ付加単語判断手段により前記マーカ付加単語と同じ単語が前記選択された辞書の見出し語に対応付けられた例文に含まれると判断された場合は、前記選択された辞書の見出し語とその語義と共に、同単語にマーカを付加した同例文を展開して表示させる他辞書マーカ単語展開表示手段と、
をさらに備えたことを特徴とする請求項１に記載の電子辞書装置。
【請求項４】
前記検索文字入力手段により入力された検索文字列に対応する見出し語とその例文を前記辞書記憶手段により記憶された辞書情報の中から読み出して表示する例文検索表示手段と、
ユーザ操作に応じて前記例文検索表示手段により表示された例文中の任意の文字列を指定してマーカを付加する例文検索マーカ付加手段と、
この例文検索マーカ付加手段によりマーカが付加された例文について、同例文に対応する見出し語と語義番号と同例文中のマーカ付加位置とを対応付けて登録する例文検索マーカ登録手段と、
前記辞書情報表示手段により前記検索文字列に対応する見出し語とその語義を表示する際に、同見出し語と一致する見出し語が前記例文検索マーカ登録手段により登録された見出し語の中にあるかを判断する例文検索登録見出し語判断手段と、
この例文検索登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開して表示させるマーカ付き検索例文展開表示手段と、
をさらに備えたことを特徴とする請求項１に記載の電子辞書装置。
【請求項５】
前記マーカ付加手段により付加するマーカのマーカ色と、前記例文検索マーカ付加手段により付加するマーカのマーカ色とは異なるマーカ色であり、
前記マーカ登録手段は、前記マーカ付加手段によりマーカが付加された例文について、同例文に対応する見出し語と語義番号と同例文中のマーカ付加位置とマーカ色とを対応付けて登録し、
前記マーカ付き例文展開表示手段は、前記登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置とマーカ色に従い該当する語義の位置にマーカを付加した例文を展開して表示させ、
前記例文検索マーカ登録手段は、前記例文検索マーカ付加手段によりマーカが付加された例文について、同例文に対応する見出し語と語義番号と同例文中のマーカ付加位置とマーカ色とを対応付けて登録し、
前記マーカ付き検索例文展開表示手段は、前記例文検索登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置とマーカ色に従い該当する語義の位置にマーカを付加した例文を展開して表示させる、
ことを特徴とする請求項４に記載の電子辞書装置。
【請求項６】
表示部とメモリとを備えた電子機器のコンピュータを制御するためのプログラムであって、
前記コンピュータを、
見出し語と対応付けて同見出し語の語義および同語義毎の例文を含む説明情報を前記メモリに記憶させる辞書記憶手段、
ユーザ操作に応じて検索文字列を入力する検索文字入力手段、
この検索文字入力手段により入力された検索文字列に対応する見出し語とその語義を前記辞書記憶手段により記憶された辞書情報の中から読み出して前記表示部に表示させる辞書情報表示手段、
ユーザ操作に応じて前記辞書情報表示手段により表示された見出し語に対応する任意の語義を指定してその例文を表示させる例文表示手段、
ユーザ操作に応じて前記例文表示手段により表示された例文中の任意の文字列を指定してマーカを付加するマーカ付加手段、
このマーカ付加手段によりマーカが付加された例文について、同例文に対応する見出し語と語義番号と同例文中のマーカ付加位置とを対応付けて前記メモリに登録するマーカ登録手段、
前記辞書情報表示手段により前記検索文字列に対応する見出し語とその語義を前記表示部に表示させる際に、同見出し語と一致する見出し語が前記マーカ登録手段により登録された見出し語の中にあるかを判断する登録見出し語判断手段、
この登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開して表示させるマーカ付き例文展開表示手段、
として機能させるためのプログラム。
【発明の詳細な説明】
【技術分野】
【０００１】
本発明は、マーカ機能を備えた電子辞書装置およびその制御プログラムに関する。
【背景技術】
【０００２】
従来、電子辞書装置には、辞書検索された所望の項目を、別途ユーザ独自の単語帳として登録し、この単語帳内の登録単語を適宜呼び出して表示させることができる単語帳機能を搭載したものがある。
【０００３】
また、辞書検索された所望の項目とその内容の表示画面において、注目すべき部分をマーカにより識別して表示させることのできるマーカ機能を搭載したものがある。
【０００４】
そして、前記単語帳機能とマーカ機能を組み合わせて搭載した電子辞書装置も考えられている（例えば、特許文献１参照。）。
【先行技術文献】
【特許文献】
【０００５】
【特許文献１】特開２００４−２１３２９９号公報
【発明の概要】
【発明が解決しようとする課題】
【０００６】
従来の単語帳機能とマーカ機能を組み合わせて搭載した電子辞書装置では、単語帳内の登録単語にどのように注目すべきマーカが付された内容が存在するのか、その登録単語の内容を呼び出して表示するまで分からなかった。
【０００７】
例えば英和辞書により検索された単語とその説明情報の表示画面において、所望の語義に対応する用例の例文を表示させ、同例文中の文字列にマーカを付加して単語帳に登録する。この場合、前記単語帳に登録された見出し語一覧から該当する見出し語を選択してその説明情報を表示させ、該当する語義に対応するところの用例を開いて例文を表示させないと、前記マーカを付加した例文を確認できない。
【０００８】
このように、マーカを付加した例文を単語帳登録した単語であっても、当該単語を見出し語検索しただけでは同マーカ付きの例文を確認できないので、折角マーカしたユーザの注目部分を有効に活用できていない問題がある。
【０００９】
本発明は、このような課題に鑑みなされたもので、マーカを付加した例文を適切且つ容易に表示させ有効に活用することが可能になる電子辞書装置およびその制御プログラムを提供することを目的とする。
【課題を解決するための手段】
【００１０】
請求項１に記載の電子辞書装置は、見出し語と対応付けて同見出し語の語義および同語義毎の例文を含む説明情報を記憶する辞書記憶手段と、ユーザ操作に応じて検索文字列を入力する検索文字入力手段と、この検索文字入力手段により入力された検索文字列に対応する見出し語とその語義を前記辞書記憶手段により記憶された辞書情報の中から読み出して表示する辞書情報表示手段と、ユーザ操作に応じて前記辞書情報表示手段により表示された見出し語に対応する任意の語義を指定してその例文を表示する例文表示手段と、ユーザ操作に応じて前記例文表示手段により表示された例文中の任意の文字列を指定してマーカを付加するマーカ付加手段と、このマーカ付加手段によりマーカが付加された例文について、同例文に対応する見出し語と語義番号と同例文中のマーカ付加位置とを対応付けて登録するマーカ登録手段と、前記辞書情報表示手段により前記検索文字列に対応する見出し語とその語義を表示する際に、同見出し語と一致する見出し語が前記マーカ登録手段により登録された見出し語の中にあるかを判断する登録見出し語判断手段と、この登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開して表示させるマーカ付き例文展開表示手段と、を備えたことを特徴としている。
【００１１】
請求項２に記載の電子辞書装置は、前記請求項１に記載の電子辞書装置において、前記マーカ付き例文展開表示手段は、前記登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開し、同例文を展開した語義とその例文を他の語義よりも前に入れ替えて表示させることを特徴としている。
【００１２】
請求項３に記載の電子辞書装置は、前記請求項１に記載の電子辞書装置において、前記辞書記憶手段は、複数種類の辞書毎に見出し語と対応付けて同見出し語の語義および同語義毎の例文を含む説明情報を記憶し、前記検索文字入力手段は、ユーザ操作に応じて任意の辞書を選択して検索文字列を入力し、前記辞書情報表示手段は、前記検索文字入力手段により辞書を選択して入力された検索文字列に対応する辞書の見出し語とその語義を前記辞書記憶手段により記憶された辞書情報の中から読み出して表示し、前記マーカ登録手段は、前記マーカ付加手段によりマーカが付加された例文について、同例文に対応する辞書名と見出し語と語義番号と同例文中のマーカ付加位置とマーカ付加単語とを対応付けて登録し、前記登録見出し語判断手段は、前記辞書情報表示手段により前記選択された辞書の見出し語とその語義を表示する際に、同選択された辞書の見出し語と一致する辞書名の見出し語が前記マーカ登録手段により登録された見出し語の中にあるかを判断し、前記マーカ付き例文展開表示手段は、前記登録見出し語判断手段により前記選択された辞書の見出し語と一致する登録された辞書名の見出し語があると判断された場合は、前記選択された辞書の見出し語とその語義と共に、前記登録された辞書名の見出し語に対応付けられた語義番号とマーカ付加位置に従い該当する語義の位置にマーカを付加した例文を展開して表示させ、前記辞書情報表示手段により前記選択された辞書の見出し語とその語義を表示する際に、同選択された辞書の辞書名ではない他の辞書名であって同見出し語と一致する見出し語が前記マーカ登録手段により登録された見出し語の中にあるかを判断する他辞書登録見出し語判断手段と、この他辞書登録見出し語判断手段により前記他の辞書名であって見出し語が一致する登録された見出し語があると判断された場合は、同登録された見出し語に対応付けられたマーカ付加単語と同じ単語が前記選択された辞書の見出し語に対応付けられた例文に含まれるか判断するマーカ付加単語判断手段と、このマーカ付加単語判断手段により前記マーカ付加単語と同じ単語が前記選択された辞書の見出し語に対応付けられた例文に含まれると判断された場合は、前記選択された辞書の見出し語とその語義と共に、同単語にマーカを付加した同例文を展開して表示させる他辞書マーカ単語展開表示手段と、をさらに備えたことを特徴としている。
【００１３】
請求項４に記載の電子辞書装置は、前記請求項１に記載の電子辞書装置において、前記検索文字入力手段により入力された検索文字列に対応する見出し語とその例文を前記辞書記憶手段により記憶された辞書情報の中から読み出して表示する例文検索表示手段と、ユーザ操作に応じて前記例文検索表示手段により表示された例文中の任意の文字列を指定してマーカを付加する例文検索マーカ付加手段と、この例文検索マーカ付加手段によりマーカが付加された例文について、同例文に対応する見出し語と語義番号と同例文中のマーカ付加位置とを対応付けて登録する例文検索マーカ登録手段と、前記辞書情報表示手段により前記検索文字列に対応する見出し語とその語義を表示する際に、同見出し語と一致する見出し語が前記例文検索マーカ登録手段により登録された見出し語の中にあるかを判断する例文検索登録見出し語判断手段と、この例文検索登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開して表示させるマーカ付き検索例文展開表示手段と、をさらに備えたことを特徴としている。
【００１４】
請求項５に記載の電子辞書装置は、前記請求項４に記載の電子辞書装置において、前記マーカ付加手段により付加するマーカのマーカ色と、前記例文検索マーカ付加手段により付加するマーカのマーカ色とは異なるマーカ色であり、前記マーカ登録手段は、前記マーカ付加手段によりマーカが付加された例文について、同例文に対応する見出し語と語義番号と同例文中のマーカ付加位置とマーカ色とを対応付けて登録し、前記マーカ付き例文展開表示手段は、前記登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置とマーカ色に従い該当する語義の位置にマーカを付加した例文を展開して表示させ、前記例文検索マーカ登録手段は、前記例文検索マーカ付加手段によりマーカが付加された例文について、同例文に対応する見出し語と語義番号と同例文中のマーカ付加位置とマーカ色とを対応付けて登録し、前記マーカ付き検索例文展開表示手段は、前記例文検索登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置とマーカ色に従い該当する語義の位置にマーカを付加した例文を展開して表示させる、ことを特徴としている。
【００１５】
請求項６に記載のプログラムは、表示部とメモリとを備えた電子機器のコンピュータを制御するためのプログラムであって、前記コンピュータを、見出し語と対応付けて同見出し語の語義および同語義毎の例文を含む説明情報を前記メモリに記憶させる辞書記憶手段、ユーザ操作に応じて検索文字列を入力する検索文字入力手段、この検索文字入力手段により入力された検索文字列に対応する見出し語とその語義を前記辞書記憶手段により記憶された辞書情報の中から読み出して前記表示部に表示させる辞書情報表示手段、ユーザ操作に応じて前記辞書情報表示手段により表示された見出し語に対応する任意の語義を指定してその例文を表示させる例文表示手段、ユーザ操作に応じて前記例文表示手段により表示された例文中の任意の文字列を指定してマーカを付加するマーカ付加手段、このマーカ付加手段によりマーカが付加された例文について、同例文に対応する見出し語と語義番号と同例文中のマーカ付加位置とを対応付けて前記メモリに登録するマーカ登録手段、前記辞書情報表示手段により前記検索文字列に対応する見出し語とその語義を前記表示部に表示させる際に、同見出し語と一致する見出し語が前記マーカ登録手段により登録された見出し語の中にあるかを判断する登録見出し語判断手段、この登録見出し語判断手段により前記検索文字列に対応する見出し語と一致する登録された見出し語があると判断された場合は、前記検索文字列に対応する見出し語とその語義と共に、前記登録された見出し語に対応付けられた語義番号とマーカ付加位置に従い該当する語義の位置にマーカを付加した例文を展開して表示させるマーカ付き例文展開表示手段、として機能させることを特徴としている。
【発明の効果】
【００１６】
本発明によれば、マーカを付加した例文を適切且つ容易に表示させ有効に活用することが可能になる電子辞書装置およびその制御プログラムを提供できる。
【図面の簡単な説明】
【００１７】
【図１】本発明の実施形態に係る電子辞書装置１０の外観構成を示す正面図。
【図２】前記電子辞書装置１０の電子回路の構成を示すブロック図。
【図３】前記電子辞書装置１０の見出し語検索・マーカ処理を示すフローチャート。
【図４】前記電子辞書装置１０の見出し語検索・マーカ処理に伴うマーカ用例展開表示処理を示すフローチャート。
【図５】前記電子辞書装置１０のマーカ用例展開表示処理に伴う他辞書でのマーカ自動付加処理を示すフローチャート。
【図６】前記電子辞書装置１０のマーカ用例展開表示処理に伴うマーカ付き単語帳チェック処理を示すフローチャート。
【図７】前記電子辞書装置１０のマーカ用例展開表示処理に伴うマーカ付き例文帳チェック処理を示すフローチャート。
【図８】前記電子辞書装置１０の見出し語検索・マーカ処理に伴う表示動作の具体例（その１）を示す図。
【図９】前記電子辞書装置１０の見出し語検索・マーカ処理に伴う表示動作の具体例（その２）を示す図。
【図１０】前記電子辞書装置１０の例文検索・マーカ処理を示すフローチャート。
【図１１】前記電子辞書装置１０の例文検索・マーカ処理に伴う表示動作の具体例を示す図。
【図１２】前記電子辞書装置１０の見出し語検索・マーカ処理に伴う表示動作の具体例（その３）を示す図。
【図１３】前記電子辞書装置１０の見出し語検索・マーカ処理に伴う表示動作の具体例（その４）を示す図。
【発明を実施するための形態】
【００１８】
以下図面により本発明の実施の形態について説明する。
【００１９】
図１は、本発明の実施形態に係る電子辞書装置１０の外観構成を示す正面図である。
【００２０】
この電子辞書装置１０は、以下に説明する電子辞書専用の携帯機器（電子辞書装置１０）として構成されるか、辞書機能を備えたＰＤＡ(personal digital assistants)、ＰＣ(personal computer)、携帯電話、電子ブック、携帯ゲーム機等として構成される。
【００２１】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、「戻る／リスト」キー１４ｄ、カーソルキー１４ｅなどを備えたキー入力部（キーボード）１４、スピーカ１５、および手書き入力部（副画面）１６が備えられる。
【００２２】
この手書き入力部（副画面）１６は、ユーザがペンや指等でタッチした位置を検出するタッチ位置検出装置と表示装置が一体となった構造であり、キー入力部１４の中央手前側において例えば２５６×６４ドットの液晶表示画面１６ｄに透明タッチパネル１６ｔを重ねて構成される。この手書き入力部１６の入力領域は、必要に応じて、手書き文字を入力するための手書き文字（漢字）入力領域や各種機能のボタン入力領域、あるいは各入力領域が混在する領域に切り替えられる。
【００２３】
そして、前記手書き入力部１６が手書き文字入力領域に切り替えられた状態での手書き入力に伴う軌跡はその液晶表示画面にエコーバックして表示される。
【００２４】
また蓋体ケース１２の表面には、そのほぼ全面を対象に例えば４８０×３２０ドットのバックライト付きのタッチパネル式カラー表示部（主画面）１７が設けられる。このタッチパネル式カラー表示部（主画面）１７も、前記手書き入力部（副画面）１６と同様に、ユーザがペンや指等でタッチした位置を検出するタッチ位置検出装置と表示装置が一体となった構造であり、そのカラー液晶表示画面１７ｄに透明タッチパネル１７ｔを重ねて構成される。
【００２５】
そして、前記タッチパネル式カラー表示部（主画面）１７の右端には、前記キー入力部１４における一部のキーの押下操作をタッチ操作により行うための、キー表記が固定印刷されたタッチキーエリア１７Ａが設けられる。
【００２６】
また、前記タッチパネル式カラー表示部（主画面）１７の左端には、表示内容に応じて実行可能な機能をタッチ操作により指定するための、各種のアイコンが表示されるタッチアイコンエリア１７Ｂが設けられる。
【００２７】
例えば、所望の辞書の見出し語などを検索し、その説明情報などを表示させた説明情報表示画面Ｇ２が前記タッチパネル式カラー表示部１７に表示される場合、前記タッチアイコンエリア１７Ｂには、当該説明情報表示画面Ｇ２に表示されている説明情報のなかの任意の範囲をタッチでなぞってカラーマーカにより識別表示させるためのマーカモードを設定する［マーカ］アイコンＢＭ、ユーザ所望の辞書の見出し語をユーザ独自に分類して登録した単語帳を呼び出すための［単語帳］アイコンＢＴが表示される。
【００２８】
図２は、前記電子辞書装置１０の電子回路の構成を示すブロック図である。
【００２９】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００３０】
このＣＰＵ２１には、メモリ２２、記憶媒体読み書き部２４、通信制御部２５、キー入力部１４、手書き入力部（サブ画面）１６、タッチパネル式カラー表示部（メイン画面）１７などが接続される。
【００３１】
前記ＣＰＵ２１は、メモリ（フラッシュＲＯＭ）２２内に予め記憶された装置制御プログラム、あるいはＲＯＭカードなどの外部記憶媒体２３から記憶媒体読み書き部２４を介して前記メモリ２２に読み込まれた装置制御プログラム、あるいはインターネットＮ上のＷｅｂサーバ（この場合はプログラムサーバ）３０から通信制御部２５を介して前記メモリ２２に読み込まれた装置制御プログラムに応じて、回路各部の動作を制御する。
【００３２】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信制御部２５を介して接続されるインターネットＮ上の各Ｗｅｂサーバ３０との通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００３３】
前記メモリ２２に記憶される装置制御プログラムとしては、当該電子辞書装置１０の全体の動作を司るシステムプログラムや、通信制御部２５を介してインターネットＮ上の各Ｗｅｂサーバや図示しないユーザＰＣ(Personal Computer)などとデータ通信するための通信プログラムが記憶される。
【００３４】
また、前記装置制御プログラムとしては、検索文字列の入力に応じて見出し語などを検索する見出し語検索処理、検索された見出し語に対応した説明情報（訳語・意味内容・例文など）の読み出し表示処理、表示された説明情報の中のユーザ任意の範囲にカラーマーカを付加し単語帳登録するための単語帳登録処理、登録された単語帳を呼び出して表示させるための単語帳呼び出し処理、表示された例文の中のユーザ任意の範囲にカラーマーカを付加し例文帳登録するための例文帳登録処理、登録された例文帳を呼び出して表示させるための例文帳呼び出し処理など、同主記憶装置２２内に記憶された辞書データベース２２ｂ、例文検索データベース２２ｃ、マーカ付き単語帳データベース２２ｄ、マーカ付き例文帳データベース２２ｅに基づく処理全般を制御するための各種辞書検索プログラム２２ａが記憶される。
【００３５】
前記辞書データベース（英語系）２２ｂとしては、アルファベットの見出し語に対応付けてその訳語（英語）や例文などの説明情報が記述された［英和辞書］、アルファベットの見出し語に対応付けてその類義語や例文などの説明情報が記述された［英英辞書］、漢字／カナの見出し語に対応付けて訳語（日本語）や例文などの説明情報が記述された［和英辞書］などが記憶される。
【００３６】
また、辞書データベース（国語系）２２ｂとしては、漢字／カナの見出し語に対応付けてその説明情報が記述された［国語辞書］、漢字の見出し語に対応付けてその説明情報が記述された［漢和辞書］、漢字／カナ／アルファベットの見出し語に対応付けてその説明情報が記述された［百科辞典］、カナの見出し語に対応付けてその説明情報が記述された［カタカナ語辞書］などが記憶される。
【００３７】
例文検索データベース２２ｃには、前記辞書データベース（英語系）２２ｂを基にして、英単語の検索文字列（検索語）からその英単語を使用した例文を検索するための検索キーが、検索語に対応する例文番号、同例文番号の例文が記述された辞書名、見出し語、語義番号として記憶される。
【００３８】
マーカ付き単語帳データベース２２ｄには、見出し語検索された英単語の説明情報に含まれる所望の語義の例文にマーカを付加して単語帳登録した際に、同マーカを付加した単語、同例文が記述された辞書名、見出し語、語義番号、例文番号、同例文内でのマーカを付加した文字位置（範囲）、同マーカの色、登録順位が記憶される。
【００３９】
マーカ付き例文帳データベース２２ｅには、例文検索された例文にマーカを付加して例文帳登録した際に、同マーカを付加した例文番号、同マーカを付加した単語、同例文内でのマーカを付加した文字位置（範囲）、同例文が記述された辞書名、見出し語、語義番号、同マーカの色、登録順位が記憶される。
【００４０】
また、前記メモリ２２のワークエリアには、用例テーブルメモリ２２ｆが確保される。
【００４１】
この用例テーブルメモリ２２ｆには、例えば前記［英和辞書］［英英辞書］を対象に見出し語検索した際に、前記マーカ付き単語帳データベース２２ｄおよび前記マーカ付き例文帳データベース２２ｅから同辞書と見出し語が一致するその辞書名、見出し語、語義番号、例文番号、マーカ位置、マーカ色、登録順位が読み出されて格納される。
【００４２】
さらに、前記見出し語検索に伴い、検索対象の辞書ではない他の辞書であっても同じ見出し語が前記マーカ付き単語帳データベース２２ｄに登録されている場合には、同見出し語に対応付けて登録されているマーカ単語が読み出される。そして、今回検索された見出し語の説明情報に含まれる各例文が順番に指定され、同例文中に前記マーカ単語と同じ単語があれば同単語に同じマーカ色のマーカが付加される。そして、マーカを付加した今回の検索対象の辞書名、見出し語、語義番号、例文番号、マーカ位置、マーカ色が、前記マーカ付き単語帳データベース２２ｄに今回登録ありと判断された見出し語に対応する登録順位を対応付けて、前記用例テーブルメモリ２２ｆに格納される。
【００４３】
すなわち、前記用例テーブルメモリ２２ｆには、今回の見出し語検索に伴い検索された見出し語を使用している全ての例文のうち、前記マーカ付き単語帳データベース２２ｄおよび前記マーカ付き例文帳データベース２２ｅに基づき呼び出し可能な検索対象辞書と同一辞書内でのマーカ付きの例文と、そのマーカ単語と同じ単語にマーカを付加した検索対象辞書内の検索見出し語に対応する例文とを、そのマーカ単語の登録順に読み出すためのキー情報が格納される。
【００４４】
次に、前記構成による電子辞書装置１０の動作について説明する。
【００４５】
（実施例１）
図３は、前記電子辞書装置１０の見出し語検索・マーカ処理を示すフローチャートである。
【００４６】
図４は、前記電子辞書装置１０の見出し語検索・マーカ処理に伴うマーカ用例展開表示処理を示すフローチャートである。
【００４７】
図５は、前記電子辞書装置１０のマーカ用例展開表示処理に伴う他辞書でのマーカ自動付加処理を示すフローチャートである。
【００４８】
図６は、前記電子辞書装置１０のマーカ用例展開表示処理に伴うマーカ付き単語帳チェック処理を示すフローチャートである。
【００４９】
図７は、前記電子辞書装置１０のマーカ用例展開表示処理に伴うマーカ付き例文帳チェック処理を示すフローチャートである。
【００５０】
図８は、前記電子辞書装置１０の見出し語検索・マーカ処理に伴う表示動作の具体例（その１）を示す図である。
【００５１】
図９は、前記電子辞書装置１０の見出し語検索・マーカ処理に伴う表示動作の具体例（その２）を示す図である。
【００５２】
キー入力部１４の辞書指定キー１４ｂの操作に応じて、例えば辞書データベース２２ｂに記憶されている［英和辞書］が検索対象の辞書に選択されると、図８（Ａ）に示すように、その見出し語検索画面Ｇ１がカラー表示部１７に表示される（ステップＳ１）。
【００５３】
この見出し語検索画面Ｇ１において、ユーザ所望の検索文字列「custom」が入力されると（ステップＳ２）、この入力された検索文字列「custom」と前方一致する見出し語が前記検索対象の［英和辞書］から読み出され、同図８（Ａ）に示すように一覧表示される（ステップＳ３）。
【００５４】
ここで、見出し語検索画面Ｇ１へのタッチ操作またはカーソルキー１４ｅのキー操作に応じてユーザ所望の見出し語「custom」が選択され、カーソルＣｕにより識別表示されると（ステップＳ４）、図４におけるマーカ用例展開表示処理へ移行され、同見出し語「custom」を使用したマーカ付きの例文を展開するための処理が実行される（ステップＳＡ）。
【００５５】
このマーカ用例展開表示処理（ステップＳＡ）において、先ず、前記ユーザ所望の見出し語「custom」を使用したマーカ付きの例文がマーカ付き単語帳データベース２２ｄおよびマーカ付き例文帳データベース２２ｅの何れにも登録されてなく、展開すべき例文が無い場合には、図８（Ｂ）に示すように、前記見出し語「custom」に対応する各語義の説明情報だけが読み出され、説明情報表示画面Ｇ２としてカラー表示部１７に表示される（ステップＡ１〜Ａ３）。
【００５６】
この説明情報表示画面Ｇ２（図８（Ｂ））において、例えば２番目の語義[(2)関税]に対応する[用例]の展開操作が為されると（ステップＳ５（Ｙｅｓ））、図８（Ｃ）に示すように、該当する語義[(2)関税]の用例が読み出され同用例に含まれる各例文が例文ウインドウＷ１として表示される（ステップＳ６）。
【００５７】
ここで、前記図１で示したように、カラー表示部１７の左端に表示されているタッチアイコンエリア１７Ｂの［マーカ］アイコンＢＭがタッチ操作されることでマーカモードに設定される（ステップＳ７（Ｙｅｓ））。
【００５８】
そして、図８（Ｄ）に示すように、例文ウインドウＷ１に表示された２番目の例文中の単語「board」が、タッチ操作によりマーカ単語として指定され黄色（見出し語検索時の所定マーカ色）のマーカＭ１が付加されると（ステップＳ８（Ｙｅｓ））、そのマーカ単語「board」が、辞書名「英和」、見出し語「custom」、語義番号(2)、例文番号(2)、マーカ位置(4-8)、マーカ色「黄」、登録順位(1)と対応付けられてマーカ付き単語帳データベース２２ｄに登録される（ステップＳ９）。
【００５９】
この後、再び［英和辞書］が検索対象の辞書に選択され、図９（Ａ）に示すように、その見出し語検索画面Ｇ１がカラー表示部１７に表示された状態で（ステップＳ１）、前述同様の検索文字列「custom」が入力されると（ステップＳ２）、この入力された検索文字列「custom」と前方一致する見出し語が読み出され、同図９（Ａ）に示すように一覧表示される（ステップＳ３）。
【００６０】
ここで、ユーザ所望の見出し語「custom」が選択され、カーソルＣｕにより識別表示されると（ステップＳ４）、図４におけるマーカ用例展開表示処理へ再び移行され、同見出し語「custom」を使用したマーカ付きの例文を展開するための処理が実行される（ステップＳＡ）。
【００６１】
このマーカ用例展開表示処理では、先ず、マーカ付き単語帳データベース２２ｄにおいて、現在の検索対象の辞書［英和辞書］ではない他の辞書名に対応付けられた見出し語であって、現在選択中の見出し語「custom」と同じ見出し語が登録されているか否か判断される。つまり、現在の検索対象の辞書ではない他の辞書であっても、今回見出し語検索した見出し語と同じ見出し語に対応したマーカ付きの例文が登録されているか否か判断される（ステップＡ１）。
【００６２】
ここで、現在の検索対象の辞書［英和辞書］ではない他の辞書名に対応付けられた見出し語であって、現在選択中の見出し語「custom」と同じ見出し語は登録されてないと判断されると（ステップＡ１（Ｎｏ））、図６におけるマーカ付き単語帳チェック処理へ移行される（ステップＡＣ）。
【００６３】
このマーカ付き単語帳チェック処理では、前記マーカ付き単語帳データベース２２ｄに登録されている情報が順次取得され（ステップＣ１）、現在の検索対象としている辞書名「英和」および見出し語「custom」が一致する登録情報があるか否か判断される（ステップＣ２）。
【００６４】
ここでは、現在の検索対象としている辞書名「英和」および見出し語「custom」が一致する登録情報があると判断されるので（ステップＣ２（Ｙｅｓ））、該当する登録情報［マーカ単語「board」、辞書名「英和」、見出し語「custom」、語義番号(2)、例文番号(2)、マーカ位置(4-8)、マーカ色「黄」、登録順位(1)］が読み出され、用例テーブルメモリ２２ｆに格納される（ステップＣ３）。
【００６５】
この後、前記マーカ付き単語帳データベース２２ｄの全ての登録情報についての判断処理が終了すると（ステップＣ４（Ｙｅｓ））、図７におけるマーカ付き例文帳チェック処理へ移行される（ステップＡＤ）。
【００６６】
このマーカ付き例文帳チェック処理では、マーカ付き例文帳データベース２２ｅに登録されている情報が順次取得され（ステップＤ１）、現在の検索対象としている辞書名「英和」および見出し語「custom」が一致する登録情報があるか否か判断される（ステップＤ２）。
【００６７】
ここでは、現在の検索対象としている辞書名「英和」および見出し語「custom」が一致する登録情報はないと判断されるので（ステップＤ２（Ｎｏ））、その登録情報の読み出し処理（ステップＤ３）は行われることなく、全ての登録情報についての判断処理が終了する（ステップＤ４（Ｙｅｓ））。
【００６８】
すると、前記用例テーブルメモリ２２ｆに格納された登録情報［マーカ単語「board」、辞書名「英和」、見出し語「custom」、語義番号(2)、例文番号(2)、マーカ位置(4-8)、マーカ色「黄」、登録順位(1)］に従い、図９（Ｂ）に示すように、今回見出し語検索された見出し語「custom」に対応する説明情報表示画面Ｇ２の中の該当する語義(2)[関税]の位置にその用例が展開されると共に、該当する例文(2)[the board custom and Excise]のマーカ位置(4-8)［board］にマーカ色「黄」のマーカＭ１が付加され（ステップＡ２）、カラー表示部１７に表示される（ステップＡ３）。
【００６９】
このように、今回見出し語検索した見出し語「custom」について、過去に同見出し語の例文にマーカＭｎを付加した登録情報があれば、そのマーカＭｎ付きの例文も同見出し語の説明情報の該当個所に展開されて表示されるようになる。このため、マーカＭｎを付加した例文を、適切な状況で且つ容易に表示させ、語学力の向上にさらに有効に活用することが可能になる。
【００７０】
なお、前記図９（Ｂ）を参照して説明した実施形態では、用例テーブルメモリ２２ｆから読み出した登録情報の語義番号(2)に従い、説明情報表示画面Ｇ２の中の該当する語義(2)[関税]の位置にその用例を展開し、そのうち同登録情報の例文番号(2)，マーカ位置(4-8)，マーカ色「黄」に従い、該当する例文[the board custom and Excise]のマーカ単語[board]にマーカＭ１を付加して表示する構成とした（ステップＡ２，Ａ３）。
【００７１】
これに対し、図９（Ｃ）に示すように、用例テーブルメモリ２２ｆから読み出した登録情報の語義番号(2)，例文番号(2)に従い、説明情報表示画面Ｇ２ａの中の該当する語義(2)[関税]の位置に該当する例文[the board custom and Excise]だけを展開し、そのうち同登録情報のマーカ位置(4-8)，マーカ色「黄」に従い、そのマーカ単語[board]にマーカＭ１を付加して表示する構成としてもよい（ステップＡ２，Ａ３）。
【００７２】
さらに、図９（Ｄ）に示すように、用例テーブルメモリ２２ｆから読み出した登録情報の語義番号(2)，例文番号(2)に従い、説明情報表示画面Ｇ２ｂの中の該当する語義(2)[関税]の位置に該当する例文[the board custom and Excise]だけを展開し、そのうち同登録情報のマーカ位置(4-8)，マーカ色「黄」に従い、そのマーカ単語[board]にマーカＭ１を付加する（ステップＡ２）。そしてこの後に、当該用例を展開した語義(2)[関税]およびマーカ付き例文[the board custom and Excise]を、用例を展開していない語義(1)[習慣。風習]…、語義(3)[税関]…の展開範囲よりも前の先頭に入れ替えて優先表示する構成としてもよい（ステップＡ２′，Ａ３）。
【００７３】
（実施例２）
図１０は、前記電子辞書装置１０の例文検索・マーカ処理を示すフローチャートである。
【００７４】
図１１は、前記電子辞書装置１０の例文検索・マーカ処理に伴う表示動作の具体例を示す図である。
【００７５】
図１１（Ａ）に示すように、［英和辞書］を検索対象の辞書に選択した例文検索画面Ｇ３の表示状態で、検索文字列「custom」が入力されると（ステップＥ１）、図１１（Ｂ）に示すように、同検索文字列の見出し語「custom」に対応した各例文が［英和辞書］から読み出され、例文一覧画面Ｇ４としてカラー表示部１７に表示される（ステップＥ２）。
【００７６】
この例文一覧画面Ｇ４において、カーソルキー１４ｅまたは同画面Ｇ４のタッチ操作により所望の例文[It is my father’s…]が選択されカーソルＣｕにより識別表示されると（ステップＥ３）、マーカ付き例文帳データベース２２ｅにおいて同選択された例文の例文番号，辞書名，見出し語が一致する登録情報があるか否か判断される（ステップＥ４）。
【００７７】
ここでは、前記選択された例文[It is my father’s…]について、マーカ付き例文帳データベース２２ｅに一致する登録情報がないと判断されるので（ステップＥ４（Ｎｏ））、図１１（Ｂ）に示すように、同選択された例文[It is my father’s…]はそのまま選択例文ウインドウＷ２に表示される（ステップＥ５）。
【００７８】
一方、前記例文一覧画面Ｇ４から今回選択された例文について、マーカ付き例文帳データベース２２ｅに同例文の例文番号，辞書名，見出し語が一致する登録情報があると判断された場合は（ステップＥ４（Ｙｅｓ））、同登録情報のマーカ位置，マーカ色に従いマーカＭｎが付加された例文が選択例文ウインドウＷ２に表示される（ステップＥ１０）。
【００７９】
このように、例文検索によりユーザ所望の例文を選択表示させた際に、過去にマーカを付加した同じ例文が登録されている場合には、同登録されたマーカ付きの例文が表示されるようになる。このため、マーカを付加した例文を、適切な状況で且つ容易に表示させ、語学力の向上にさらに有効に活用することが可能になる。
【００８０】
一方、前記図１１（Ｂ）で示したように、ユーザ所望の例文[It is my father’s…]を表示させた選択例文ウインドウＷ２の表示状態で、「訳／決定」キー１４ｃにより確定操作すると、図１１（Ｃ）に示すように、同例文の説明情報だけを展開した例文表示画面Ｇ５がカラー表示部１７に表示される。
【００８１】
ここで、前記図１で示したように、カラー表示部１７の左端に表示されているタッチアイコンエリア１７Ｂの［マーカ］アイコンＢＭがタッチ操作されることでマーカモードに設定される（ステップＥ６（Ｙｅｓ））。
【００８２】
そして、図１１（Ｃ）に示すように、例文表示画面Ｇ５に表示された例文中の単語「to」が、タッチ操作によりマーカ単語として指定され赤色（例文検索時の所定マーカ色）のマーカＭ２が付加されると（ステップＥ７）、そのマーカ単語「to」が、辞書名「英和」、見出し語「custom」、語義番号(1)、例文番号(5)、マーカ位置(21-22)、マーカ色「赤」、登録順位(2)と対応付けられてマーカ付き例文帳データベース２２ｅに登録される（ステップＥ８）。
【００８３】
こうして、例えば前記図８（Ａ）〜（Ｄ）を参照して説明したように、［英和辞書］の見出し語[custom]に対応する語義(2)[関税]の例文(2)[the board custom and Excise]に黄色のマーカＭ１[board]が付加されたマーカ付き例文の検索キーがマーカ付き単語帳データベース２２ｄに登録される。またこの後、前記図１１（Ａ）〜（Ｃ）を参照して説明したように、［英和辞書］の見出し語[custom]に対応する語義(1)[習慣。風習]の例文(5)[It is my father’s…]に赤色のマーカＭ２[to]が付加されたマーカ付き例文の検索キーがマーカ付き例文帳データベース２２ｅに登録される。
【００８４】
このような状態で、前記図３における見出し語検索・マーカ処理に従い、前記図９（Ａ）で示したように［英和辞書］を対象に見出し語「custom」を検索する（ステップＳ１〜Ｓ４）。
【００８５】
すると、同一の辞書［英和辞書］と見出し語[custom]に対応付けられて前記マーカ付き単語帳データベース２２ｄと前記マーカ付き例文帳データベース２２ｅに登録されている各登録情報（検索キー）が読み出され、用例テーブルメモリ２２ｆに格納される（ステップＳＡ（Ａ１（Ｎｏ）→ＡＣ（Ｃ１〜Ｃ４），ＡＤ（Ｄ１〜Ｄ４））。
【００８６】
そして、図１２に示すように、同見出し語「custom」の説明情報に黄色のマーカＭ１[board]を付加した語義(2)[関税]の例文(2)[the board custom and Excise]と赤色のマーカＭ２[to]を付加した語義(1)[習慣。風習]の例文(5)[It is my father’s…]とを展開した説明情報表示画面Ｇ２ｂがカラー表示部１７に表示される（ステップＡ２，Ａ２′，Ａ３）。
【００８７】
図１２は、前記電子辞書装置１０の見出し語検索・マーカ処理に伴う表示動作の具体例（その３）を示す図である。
【００８８】
すなわち、前記図６におけるマーカ付き単語帳チェック処理により、マーカ付き単語帳データベース２２ｄから検索対象辞書［英和辞書］と検索見出し語[custom]に一致する登録情報［マーカ単語「board」、辞書名「英和」、見出し語「custom」、語義番号(2)、例文番号(2)、マーカ位置(4-8)、マーカ色「黄」、登録順位(1)］が読み出され、用例テーブルメモリ２２ｆに格納される（ステップＣ１〜Ｃ４）。
【００８９】
また、前記図７におけるマーカ付き例文帳チェック処理により、マーカ付き例文帳データベース２２ｅから検索対象辞書［英和辞書］と検索見出し語[custom]に一致する登録情報［マーカ単語「to」、辞書名「英和」、見出し語「custom」、語義番号(1)、例文番号(5)、マーカ位置(21-22)、マーカ色「赤」、登録順位(2)］が読み出され、用例テーブルメモリ２２ｆに格納される（ステップＤ１〜Ｄ４）。
【００９０】
すると、前記用例テーブルメモリ２２ｆに格納された各登録情報の登録順位(1)(2)に従い、図１２に示すように、見出し語「custom」の説明情報の先頭に、黄色のマーカＭ１[board]が付加された語義(2)[関税]の例文(2)[the board custom and Excise]が展開され、次に赤色のマーカＭ２[to]が付加された語義(1)[習慣。風習]の例文(5)[It is my father’s…]が展開されてなる説明情報表示画面Ｇ２ｂが表示される（ステップＡ２，Ａ２′，Ａ３）。
【００９１】
このように、検索対象の辞書および見出し語と一致するマーカ付きの例文登録情報がマーカ付き単語帳データベース２２ｄやマーカ付き例文帳データベース２２ｅにあれば、検索された見出し語の説明情報にその全ての例文登録情報に従ったマーカ付きの例文がその登録順に展開されて表示される。このため、過去にマーカを付加した例文を、適切な状況で且つ容易に表示させ、語学力の向上にさらに有効に活用することが可能になる。
【００９２】
（実施例３）
図１３は、前記電子辞書装置１０の見出し語検索・マーカ処理に伴う表示動作の具体例（その４）を示す図である。
【００９３】
前述したように、現在、マーカ付き単語帳データベース２２ｄには、［英和辞書］の見出し語[custom]に対応する語義(2)[関税]の例文(2)[the board custom and Excise]に黄色のマーカＭ１[board]が付加されたマーカ付き例文の検索キーが登録されている（図８（Ａ）〜（Ｄ）参照）。またマーカ付き例文帳データベース２２ｅには、［英和辞書］の見出し語[custom]に対応する語義(1)[習慣。風習]の例文(5)[It is my father’s…]に赤色のマーカＭ２[to]が付加されたマーカ付き例文の検索キーが登録されている（図１１（Ａ）〜（Ｃ）参照）。
【００９４】
このような状態で、前記図３における見出し語検索・マーカ処理に従い、図１３（Ａ）に示すように、［英英辞書］を対象に見出し語「custom」を検索する（ステップＳ１〜Ｓ４）。
【００９５】
すると、図４におけるマーカ用例展開表示処理に移行され（ステップＳＡ）、先ず、マーカ付き単語帳データベース２２ｄおよびマーカ付き例文帳データベース２２ｅにおいて、今回の検索対象辞書［英英辞書］ではない他の辞書であって、今回の検索見出し語「custom」と同一の見出し語が登録されているか否か判断される（ステップＡ１）。
【００９６】
ここでは、マーカ付き単語帳データベース２２ｄに、今回の［英英辞書］ではない他の辞書［英和辞書］での同一の見出し語[custom]に対応付けられたマーカ付きの例文検索キー（マーカ単語[board]）が登録されていると判断されると共に、マーカ付き例文帳データベース２２ｅに、今回の［英英辞書］ではない他の辞書［英和辞書］での同一の見出し語[custom]に対応付けられたマーカ付きの例文検索キー（マーカ単語[to]）が登録されていると判断される（ステップＡ１（Ｙｅｓ））。
【００９７】
すると、図５における他辞書でのマーカ自動付加処理に移行される（ステップＡＢ）。
【００９８】
この他辞書でのマーカ自動付加処理では、先ず、前記ステップＡ１において登録ありと判断された他の辞書［英和辞書］での同一の見出し語[custom]に対応付けられたマーカ単語（[board][to]）が読み出される（ステップＢ１）。
【００９９】
そして、今回［英英辞書］から検索された見出し語「custom」に対応してその説明情報に含まれる各用例の例文が先頭から順番に指定され（ステップＢ２）、この指定された例文中に、前記ステップＢ１にて読み出された同一の見出し語「custom」に対応付けられた登録済みのマーカ単語（[board]や[to]）と同じ単語があるか否か判断される（ステップＢ３）。
【０１００】
ここで、前記指定された例文中に前記登録済みのマーカ単語（[board]や[to]）と同じ単語がないと判断された場合には（ステップＢ３（Ｎｏ））、前記検索見出し語「custom」に対応した説明情報に含まれる次の例文が指定され（ステップＢ４→Ｂ５）、前記登録済みのマーカ単語（[board]や[to]）と同じ単語があるか否かの判断処理が繰り返される（ステップＢ３）。
【０１０１】
一方、前記指定された例文中に前記登録済みのマーカ単語（[board]や[to]）と同じ単語があると判断された場合には（ステップＢ３（Ｙｅｓ））、その単語（[board]や[to]）に同じマーカ色（[board;黄色][to;赤色]）でマーカＭが付加される（ステップＢ６）。
【０１０２】
そして、前記マーカＭが付加された例文に対応する辞書名[英英辞書]、見出し語[custom]、語義番号、例文番号、マーカ位置、マーカ色が、今回登録ありと判断されたマーカ単語（[board]や[to]）の登録順（[board;(1)][to;(2)]）と対応付けて、同マーカＭを付加した例文の検索キーとして用例テーブルメモリ２２ｆに格納される（ステップＢ７）。
【０１０３】
この場合具体的には、前記検索対象の［英英辞書］の見出し語「custom」に対応した説明情報に含まれる例文中に、前記登録済みのマーカ単語[to]と同じ単語があると判断され、同単語[to]に赤色のマーカＭａ，Ｍｂを付加したマーカ付き例文（図１３（Ｂ）参照）の検索キーが、前記用例テーブルメモリ２２ｆに格納される。
【０１０４】
すなわち、前記他辞書でのマーカ自動付加処理（ステップＡＢ）では、検索対象の辞書ではない他の辞書であって、検索見出し語と同一の見出し語に対応付けられたマーカ単語が登録されている場合には（ステップＢ１）、同検索見出し語に対応して読み出される各例文中の前記マーカ単語と同じ単語にマーカが付加され（ステップＢ２〜Ｂ６）、当該マーカを付加した例文を呼び出すための検索キーが用例テーブルメモリ２２ｆに格納されることになる（ステップＢ７）。
【０１０５】
この後、前記図６におけるマーカ付き単語帳チェック処理（ステップＡＣ）と前記図７におけるマーカ付き例文帳チェック処理（ステップＡＤ）では、前記検索対象の［英英辞書］と見出し語「custom」が共に一致するマーカ登録情報がないと判断されるので、前記用例テーブルメモリ２２ｆに対して、マーカ付き例文の検索キーが追加で格納されることはない。
【０１０６】
従って前述同様に、この後のステップＡ２〜Ａ３の処理に応じて、図１３（Ｂ）に示すように、赤色のマーカＭａ，Ｍｂが付加された例文が、今回の［英英辞書］での検索見出し語「custom」に対応する説明情報表示画面Ｇ２に展開されて表示される。
【０１０７】
このように、検索対象の辞書ではない他の辞書であっても、検索対象の見出し語と一致するマーカ付きの例文登録情報がマーカ付き単語帳データベース２２ｄやマーカ付き例文帳データベース２２ｅにあれば、検索された見出し語の説明情報に含まれる各例文は、登録済みのマーカ単語と同じ単語にマーカが自動付加されて表示される。このため、過去に同じ見出し語に関わる例文中にてマーカを付加して登録した単語（マーカ単語）を、今回の見出し語検索に伴い表示させる例文中の単語にも適切に反映させることができ、語学力の向上にさらに有効に活用することが可能になる。
【０１０８】
なお、前記実施形態において記載した電子辞書装置１０による各処理の手法およびデータベース、すなわち、図３〜図７のフローチャートに示す見出し語検索・マーカ処理、図１０のフローチャートに示す例文検索・マーカ処理などの各手法、および辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、コンピュータは、この外部記憶媒体２３に記憶されたプログラムを記憶装置（２２）に読み込み、この読み込んだプログラムによって動作が制御されることにより、前記実施形態において説明した見出し語検索や例文検索に伴うマーカ付きの例文展開機能を実現し、前述した手法による同様の処理を実行することができる。
【０１０９】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述した見出し語検索や例文検索に伴うマーカ付きの例文展開機能を実現することもできる。
【０１１０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１１１】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…「戻る／リスト」キー
１４ｅ…カーソルキー
１５  …スピーカ
１６  …手書き入力部
１６ｄ…液晶表示画面
１６ｔ…透明タッチパネル
１７  …タッチパネル式カラー表示部
１７ｄ…カラー液晶表示画面
１７ｔ…透明タッチパネル
１７Ａ…タッチキーエリア
１７Ｂ…タッチアイコンエリア
２１  …ＣＰＵ
２２  …メモリ
２２ａ…辞書検索プログラム
２２ｂ…辞書データベース
２２ｃ…例文検索データベース
２２ｄ…マーカ付き単語帳データベース
２２ｅ…マーカ付き例文帳データベース
２２ｆ…用例テーブルメモリ
２３  …外部記憶媒体
２４  …記憶媒体読み書き部
２５  …通信制御部
３０  …Ｗｅｂサーバ
Ｎ    …通信ネットワーク
Ｇ１  …見出し語検索画面
Ｇ２  …説明情報表示画面
Ｇ３  …例文検索画面
Ｇ４  …例文一覧画面
Ｇ５  …例文表示画面
Ｗ１  …例文ウインドウ
Ｗ２  …選択例文ウインドウ
ＢＭ  …マーカアイコン
ＢＴ  …単語帳アイコン
Ｃｕ  …カーソル
Ｐ    …タッチペン
Ｍ１  …マーカ（黄色）
Ｍ２，Ｍａ，Ｍｂ…マーカ（赤色）
【図１】
2011258007.tif 000003
【図２】
2011258007.tif 000004
【図３】
2011258007.tif 000005
【図４】
2011258007.tif 000006
【図５】
2011258007.tif 000007
【図６】
2011258007.tif 000008
【図７】
2011258007.tif 000009
【図８】
2011258007.tif 000010
【図９】
2011258007.tif 000011
【図１０】
2011258007.tif 000012
【図１１】
2011258007.tif 000013
【図１２】
2011258007.tif 000014
【図１３】
2011258007.tif 000015